(57)【特許請求の範囲】
【請求項１】
左右一対の接眼レンズと眼幅調整機構を有する双眼観察装置で、左右の接眼レンズの視野周縁部または視野周縁部の一部に視野合致位置検知用の点滅可能な固体発光素子で照明された標識を配置した構造を有することを特徴とする双眼観察装置。
【請求項２】
左右一対の接眼レンズの周縁部または視野周縁部の一部に設置された標識は、左右で色特性の異なった固体発光素子で照明されることを特徴とする請求項１記載の双眼観察装置。
【請求項３】
左右一対の接眼レンズの周縁部または視野周縁部の一部に設置された標識は、左右で色特性の異なった色フィルターと白色光を発する固体発光素子で照明されることを特徴とした請求項１記載の双眼観察装置。
【発明の詳細な説明】
【技術分野】
【０００１】
本発明は、左右一対の接眼レンズを有する観察光学系の眼幅調整を容易に行うことを可能にした双眼観察装置に関する。
【背景技術】
【０００２】
双眼鏡や双眼顕微鏡等で代表される、左右一対の接眼レンズを有する光学的な双眼観察装置は多くの分野で利用されているが、使用者の両眼の眼幅や視度が人によって異なるので眼幅調整や視度調整が不可欠である。
【０００３】
従来からこれらの調整は手動で行われており、非特許文献５ページ「双眼鏡の基本的な使い方」に記載されているように、調整の原理は簡単であるが非熟練者にとっては精度良く調整することは難しい。
【０００４】
視度調整は視野内の中心部の映像を見ながら、左右の接眼レンズを片側ずつ調整しピントの合った位置を求めるので、少し慣れることで非熟練者でも比較的容易に習熟できるが、眼幅調整は左右の接眼レンズを同時にのぞきながら左右の視野を合致させるので非熟練者にとってはかなり難しい調整となる。
【０００５】
特に眼幅調整では、左右の接眼レンズの視野を左右の眼で同時に確認し重ね合わせることは感覚的にかなり難しく、多くの場合眼幅調整が不十分のまま使用されている場合が多い。
【０００６】
眼幅調整が不十分でも、観察時には左右どちらかの眼に重点が置かれ、観察する像は拡大して見えるが、双眼観察装置の眼幅が肉眼の間隔に合致していない場合には左右の像がずれたりしているのを強引に観察するので、良好な画像が観察できず、眼が疲れるという問題を生じる。
【０００７】
日本工業規格ＪＩＳ  Ｂ７１２１では双眼鏡の眼幅調整可能範囲として一般品で６０〜７０ｍｍの範囲、高性能品で５８〜７２が規定されており、眼幅調整時の光軸ずれに関しても厳しく規定されている。
【０００８】
このように眼幅調整は双眼鏡のような双眼観察装置では重要な調整事項であるので、これまでにも多くの眼幅調整の機構が提案されよく知られているが、基本的には双眼鏡では左右一対の接眼レンズ鏡筒を蝶番のように全体を折り曲げ眼幅を変化させる方式と、左右一対の接眼レンズ鏡筒を左右の接眼レンズの光軸を含む平面内で並行移動させ眼幅を変化させる方式がある。
【０００９】
今後、左右一対の接眼レンズ鏡筒を蝶番のように全体を折り曲げ眼幅を変化させる方式を「折り曲げ方式」、左右一対の接眼レンズ鏡筒を左右の接眼レンズの光軸を含む平面内で並行移動させ眼幅を変化させる方式を「並行移動方式」と簡略化した用語を使用する。
【００１０】
双眼鏡の眼幅調整に関しては、並行移動方式の1例として特許文献２、折り曲げ方式の１例として特許文献３などでも新しい眼幅調整機構の技術提案が見られるが、眼幅調整時の左右の視野合致位置を検知する検知法の新しい提案はなく、非特許文献５ページ「双眼鏡の基本的な使い方」に記載されている方法をとっているのが現状であり、左右両接眼の視野合致位置を検知する課題を解決する技術は開示されていない。
【００１１】
また眼幅調整の問題点を解決する技術提案として特許文献１で、眼の瞳位置を自動的に検出し、眼幅調節を自動で行う技術提案もあるが構造が複雑になる。
【先行技術文献】
【特許文献】
【００１２】
【特許文献１】特開平５−７２４６０号公報
【特許文献２】特開平８−４３７４４号公報
【特許文献３】特開平１０−２１３７５３号公報
【非特許文献】
【００１３】
【非特許文献１】ニコン双眼鏡総合カタログ（２０１１．２．１版）、Ｐ５
【発明の概要】
【発明が解決しようとする課題】
【００１４】
双眼鏡のような左右一対の接眼レンズを有する光学的な双眼観察装置における眼幅調整において、左右接眼レンズの視野合致位置を容易に検知することが可能な双眼観察装置を提供する。
【課題を解決するための手段】
【００１５】
左右一対の接眼レンズと眼福調整機構を有する双眼観察装置で、左右の接眼レンズの視野周縁部または視野周縁部の一部に視野合致位置検知用の点滅可能な固体発光素子で照明された標識を配置した構造を有することを特徴とする。
【００１６】
さらに眼幅の合致位置の検知をより容易にするために、左右一対の接眼レンズの周縁部または視野周縁部の一部に設置された標識を、左右で色特性の異なった固体発光素子で照明することで視野が合致した状態では標識の色が変わって観察される双眼観察装置を特徴とする。
【００１７】
さらに眼幅の合致位置の検知をより容易にするために、左右一対の接眼レンズの周縁部または視野周縁部の一部に設置された標識を、左右で色特性の異なった色フィルターと組み合わせた白色光を発する固体発光素子で照明することで視野が合致した状態では標識の色が変わって観察される双眼観察装置を特徴とする
【００１８】
また、構造を簡単にするために点滅可能な固体発光素子で照明された標識を、左右何れか一方の接眼レンズの視野周縁部または視野周縁部の一部に配置した構造を有する双眼観察装置を特徴とする。
【００１９】
なお、固体発光素子には発光ダイオード、エレクトロルミネッセンス等があるが、ここでは固体発光素子として代表的な発光ダイオードを例にとって説明する。
【発明の効果】
【００２０】
本発明による光学的な双眼観察装置は簡単な構造で、左右の接眼レンズの視野の合致位置を容易に検知することが可能になり、眼幅調整が容易になるので広い分野での双眼観察装置に利用が可能となる。
【図面の簡単な説明】
【００２１】
【図１】双眼観察装置の代表として、双眼鏡の基本的な構造を模式的に示す一例の説明図。
【図２】左右一対の接眼レンズ鏡筒を左右の接眼レンズ光軸を含む平面内で並行移動させ眼幅を変化させる並行移動方式の説明図。
【図３】左右一対の接眼レンズ鏡筒を蝶番のように全体を折り曲げ眼幅を変化させる折り曲げ方式の説明図。
【図４】眼幅調整時に観察される、左右一対の接眼レンズの視野の重なりの様子を示す説明図。
【図５】接眼レンズの視野枠周縁部に点滅可能な発光ダイオードで照明された標識も設けた視野枠の説明図。
【図６】左右一対の接眼レンズの視野周縁部に発光ダイオードで照明された標識を設けた場合に、眼幅調整時に観察される左右一対の接眼レンズの視野の重なりの様子を示す説明図。
【図７】並行移動方式で、左右一対の接眼レンズの視野周縁部の一部に発光ダイオードで照明された標識を設けた場合に、眼幅調整時に観察される左右一対の接眼レンズの視野の重なりの様子を示す説明図。
【図８】接眼レンズの視野枠周縁部の一部に点滅可能な発光ダイオードで明るく照明された標識を設けた視野枠の説明図。
【図９】折り曲げ方式で、左右一対の接眼レンズの視野周縁部の一部に発光ダイオードで照明された標識を設けた場合に、眼幅調整時に観察される左右一対の接眼レンズの視野の重なりの様子を示す説明図。
【図１０】折り曲げ方式で、左右一対の接眼レンズの視野周縁部の一部に発光ダイオードで照明された標識が、眼幅調整時に観察される標識の重なり部分を検出容易にする説明図。
【発明を実施するための形態】
【００２２】
少ない部品点数で、固体発光素子で照明される標識を視野枠上に構成することで、双眼観察装置の眼幅調整を容易にすることを可能とした。
【００２３】
以下、図面を参照して本発明を実施する形態を説明する。図１は本発明による眼幅調整を行う双眼観察装置の一例として、ダハプリズムを用いた双眼鏡の基本的な構造を説明するための模式的な概念図で、右側の望遠鏡部１０Ｒは対物レンズ１１Ｒ、ダハプリズム１２Ｒ、接眼レンズ１３Ｒ、視野枠１４Ｒの主要部分で構成されており、左側の望遠鏡部１０Ｌは対物レンズ１１Ｌ、ダハプリズム１２Ｌ、接眼レンズ１３Ｌ、視野枠１４Ｌで構成されている。また、接眼レンズ１３Ｒ、１３Lの光軸１５Rと１５Lの中間に中心軸１６が設定される。以降の説明では説明の煩雑さを避けるため、他の図面でも上記構成の主要部は同じ符号をもちいる。
【００２４】
右側望遠鏡部１０Ｒと左側望遠鏡部１０Ｌは連結機構部１７で連結されており、連結機構部の構造によって、左右一対の接眼レンズ鏡筒を、中心軸１６を中心として蝶番のように全体を折り曲げ眼幅を変化させる折り曲げ方式と、左右一対の接眼レンズ鏡筒を左右の接眼レンズの光軸を含む平面内で並行移動させ眼幅を変化させる平行移動方式が可能となる。
【００２５】
図２は左右一対の接眼レンズの鏡筒を、左右の接眼レンズの光軸を含む平面内で並行移動させる平行移動方式で眼幅を変える状態を説明するための図である。図２（ａ）は図１の一対の望遠鏡を接眼レンズ側より見た正面図で、右側接眼レンズ１０Ｒの光軸１５Ｒと左側接眼レンズ１０Ｌの光軸１５Ｌを含む平面（ａ−ｂ）内で左右一対の接眼レンズ１０Ｒ，１０Ｌを並行移動させ、図２（ａ）で示す眼幅Ｌ１を、図２（ｂ）に示す眼幅Ｌ２でまで狭く可変させる様子を示している。
【００２６】
図３は左右一対の接眼レンズの鏡筒を、左右の接眼レンズの光軸の中間に設定された中心軸１６を中心に折り曲げる折り曲げ方式で眼幅を変える状態を説明するための図である。図３は図１の一対の望遠鏡を接眼レンズ側より見た正面図で、右側接眼レンズ１３Ｒの光軸１５Ｒと左側接眼レンズ１３Ｌの光軸１５Ｌの中間に設定された中心軸１６を中心に、右側接眼レンズ１３Ｒと左側接眼レンズ１３Ｌを蝶番の様に折り曲げた状態を２点鎖線で示している。図に示す様に右側接眼レンズ１０Ｒの光軸１５Ｒと左側接眼レンズ１０Ｌの光軸１５Ｌを含む平面（ａ−ｂ）内より、右側接眼レンズ１３Ｒと左側接眼レンズ１３Ｌを共に蝶番の様に角度θ下方に折り曲げることで、眼幅をＬ１からＬ２の様に狭く可変させる様子を示している。
【００２７】
図１では対物レンズと接眼レンズが同一の光軸上の並ぶダハプリズムを使った望遠鏡部を例として挙げたが、対物レンズと接眼レンズが異なった光軸をもつポロプリズムをもつ望遠鏡部を用いた双眼鏡としての双眼観察装置もある。また図１の対物レンズ系の構造を変えた双眼顕微鏡等も双眼観察装置に含まれるが、いずれの場合も左右一対の接眼レンズを持つ構造を有しており、眼幅調整が必要となる。
【００２８】
双眼観察装置を構成する左右の接眼レンズは、通常、図４に示すようにそれぞれ暗い周縁部４１の中に明るい円形視野４２をもつている。
【００２９】
観察者の眼幅と双眼観察装置の接眼レンズの眼幅が一致しない場合、一例として双眼観察装置の接眼レンズの眼幅が観察者の眼幅より広い場合は、図４（Ｂ）に示すように左右の接眼レンズの視野４２Ｒ，４２Ｌが一部ずれた状態で重なって見える。この場合、視野が重なっている部分は明るく、重なっていない部分４３Ｒ、４３Ｌは中心部にくらべやや暗く見える。この場合暗く見える状態は背景の明るさで変わり、視野の一部がずれて重なっている周縁部４４Ｒ，４４Ｌは非常に見難い状態となる場合が多い。眼幅調整で観察者の眼幅と双眼観察装置の接眼レンズの眼幅が一致すると左右接眼レンズの視野は図４（Ｃ）のように視野４２Ｒと４２Ｌの重なった単一の視野となって観察される。
【００３０】
接眼レンズの視野全周を重ねようとする場合、左右の肉眼で左右の接眼レンズの視野全周を同時に観察するのはかなり難しい。通常の眼幅調整時には、左右の視野の周辺が部分的に重なるのが観察されるように眼幅調整を行えば自動的に視野は重なり、眼幅調整は完了する。一例として、図４（ｂ）の矢印４５で示すように右側接眼レンズの視野４２Ｒの左側周縁部４４Ｒが左側接眼レンズ視野４２Ｌの左側視野周縁部に移動し、視野が重なるようにすれば眼幅調整は完了する。
【００３１】
本発明では眼幅調整時に注視すべき左右の接眼レンズの周縁部４４Ｒと４４Ｌに発光ダイオードで照明された標識を設け、視野周辺部を容易に確認できるようにすることで、眼幅調節を容易にする技術を提示するものである。
【実施例１】
【００３２】
図５は図１で示した左右の接眼レンズの視野枠１４Ｒ，１４Ｌの周縁部に発光ダイオードで照明された標識を設けた構造を示す一例で、視野枠１４Ｒと視野枠１４Ｌは同じ構造の物なので以下説明は右側の視野枠１４Ｒについて行う。図５（ａ）は図１における視野枠１４Ｒを接眼レンズ１３Ｒ側から見た正面図、図５（ｂ）は図５（ａ）のａ−ｂ断面図、図５（ｃ）は図５（ａ）の裏面を示す正面図である。      
【００３３】
視野枠１４Ｒの内側には円環状の開口部を持った標識５１が形成されている。円環状の開口部を持った標識５１はプラスチック等の透明材料または半透明材料の光導体５２と、光導体５２の円環状開口部を形成する細い幅を持った円環状マスク５３、５４で構成されており、複数個の発光ダイオード５６が装着された視野枠本体部５５に固定されている。
【００３４】
視野枠１４Ｒの裏面より発光ダイオード５６で照明された標識５１は４個の発光ダイオードで照明する例を示しているが、発光ダイオード５６は４個に限定されるものではなく、１個から複数個配置してもよく、図示は省略しているがスイッチを設けＯＮ−ＯＦＦの点滅状態を選択可能とし、眼幅調整時のみ点灯することが可能である。
【００３５】
また、図５では発光ダイオードで直接光導体を照明しているが、白色発光ダイオードと色フィルターを組み合わせることで発光色を任意に選択可能となり、標識の色を任意に選ぶことが可能となる。
【００３６】
図５（ａ）の視野枠１４Ｒ，１４Ｌを装着した双眼観察装置を接眼レンズ１３Ｒ，１３Ｌ側よりみると、観察者の眼幅と双眼観察装置の接眼レンズの眼幅が合致していない場合は図６（ａ）の様に視野周縁部に設置した標識５１Ｒ，５１Ｌが接眼レンズの視野内で明るく観察できるので、左右接眼レンズの視野を合致させる眼幅調整が容易になり、眼幅調整後は図６（ｂ）で示す様に標識５１Ｒ、５１Ｌが一体となって観察される。
【００３７】
この場合、左右の視野枠に設けられた標識５１Ｒ，５１Ｌを照明する発光ダイオードとしてとして、発光色の異なった発光ダイオードを用いると、視野枠周縁部の標識５１Ｒ，５１Ｌは左右で異なった色で表示され、眼幅調整が完了時には視野周縁部の標識５１Ｒ，５１Ｌが重なり合って色が変って観察されるので、正確な眼幅調整が容易になる。一例として赤色と緑色の発光ダイオードを用いると眼幅調整が完了し左右の接眼レンズの視野が合致すると、視野周縁部の重なり合った標識は赤色と緑色が肉眼を経由し脳内部で混合し黄色く観察され、眼幅調整が完了したことを標識の色の変化で検知可能となるので眼幅調整がより容易となる。
【００３８】
特に、白色発光ダイオードと色フィルターを組み合わせることで発光色を任意に選択可能とすることが出来るので、左右の標識に対して異なった照明色を任意に選択することが出来、標識が重なった場合の見やすい色の変化を比較的自由に選択できるので眼幅調整がさらに容易となる。
【実施例２】
【００３９】
前述の様に、左右の接眼レンズの視野内で観察される標識は円環形状なので眼幅調整機構として、折り曲げ方式または並行移動方式を用いた場合、いずれの場合でも容易に眼幅調整が可能となるが、しかし眼幅調整の効果に着目すると、標識は円環状であることが絶対的な条件ではない。
【００４０】
並行移動方式では、接眼レンズを装着した鏡筒は並行移動するだけなので、鏡筒内に配置された視野枠も並行移動する。このため、実際の眼幅調整を行うに当たっては、視野枠周縁部に設置した円環状の標識の代わりに、図７（ａ）に示す様な円環状の標識の一部分、標識７１Ｒ、７１Ｌのような円弧形状の標識を用いても、標識は眼幅調整時には矢印で示す様に並行移動して観察されるので、標識が小さくても図７（Ｂ）に示すように眼幅調整が完了するときは標識７１Ｒと７１Ｌが重なり、標識が円環状の場合と同等の効果がある。このように標識を視野周縁部の一部に限定することで視野枠を照明する発光ダイオードも一個で済ますことも可能となり、視野枠の構造も簡単にできる。
【００４１】
図８は図１で示した左右の接眼レンズの視野枠１４Ｒ，１４Ｌの周縁部の一部に発光ダイオードで照明された円弧状の標識を設けた構造を示す一例で、視野枠１４Ｒと視野枠１４Ｌは同じ構造の物なので以下説明は右側の視野枠１４Ｒについて行う。図８（ａ）は図５の場合と同様、図１における視野枠１４Ｒを接眼レンズ１３Ｒ側から見た正面図、図５（ｂ）は図５（ａ）のａ−ｂ断面図、図５（ｃ）は図５（ａ）の裏面を示す正面図であり、標識を円環状の一部分で形成する場合の視野枠の構造を示す。
【００４２】
視野枠１４Ｒの内側には円環状の一部である円弧状の開口部を持った標識８１が形成されている。標識８１はプラスチック等の透明材料または半透明材料の円弧状光導体８２と、光導体８２の円弧状開口部を形成する細い幅を持った円環状マスク８３で構成されており、発光ダイオード５６が装着された視野枠本体部８５に固定されている。
【００４３】
視野枠１４Ｒの裏面より発光ダイオード５６で照明された標識５１は１個の発光ダイオードで照明する例を示しているが、発光ダイオード５６は１個に限定されるものではなく、複数個配置してもよく、図示は省略しているがスイッチを設けＯＮ−ＯＦＦの点滅状態を選択可能とする。
【００４４】
この場合、標識の見やすい大きさは、円弧上の開口部を決める角度Ｗを選ぶことで決めることができる。また標識の照明は、円環状標識の場合と同じように左右の標識に対して色特性の異なった発光ダイオードか、色特性の異なった色フィルターとを組み合わせた白色発光ダイオードを用いると円環状標識で説明したのと同様な効果が得られる。  
【実施例３】
【００４５】
左右一対の接眼レンズ鏡筒を蝶番のように全体を折り曲げ眼幅を変化させる折り曲げ方式では、実施例２と同様に視野周縁部に小さな円弧状の標識を設けると、眼幅調整をするために左右の接眼レンズの鏡筒を折り曲げると相対的に左右の鏡筒は逆方向に回転ずるので、鏡筒に固定されている視野枠に装着された左右の円弧状の標識も相対的に逆方向に回転移動するので円弧状の標識の大きさに注意が必要となる。
【００４６】
右側接眼レンズ１３Ｒの光軸１５Ｒと、左側接眼レンズ１３Ｌの光軸１３Ｌと中心軸１６を結ぶ直線Ｘ−Ｙ上に左右の接眼レンズを配置し、左右接眼レンズの眼幅を最大（Ｌ１）とする例を図９（ａ）に示し、左右接眼レンズの位置を直線Ｘ−Ｙより下方にそれぞれ角度θ折り曲げ左右接眼レンズの眼幅を最小（Ｌ２）とした状態を図９（ｃ）に示す。また、左右の接眼レンズの折り曲げ角度を図９（ａ）と図９（ｃ）の中間、すなわちθ／２とした場合の状態を図９（ｂ）に示す。
【００４７】
図９（ｂ）は左右の接眼レンズの折り曲げ角度をθ／２とし、折り曲げた状態での左右接眼レンズの光軸１５Ｒと１５Ｌを結ぶ直線をＸｂ−Ｙｂとし、視野枠１４Ｌの左側で直線Ｘｂ−Ｙｂ上の位置に標識Ｐを設定し、視野枠１４Ｒの左側で直線Ｘｂ−Ｙｂ上の位置に標識Ｑを設定する。
【００４８】
この状態で、左右接眼レンズの眼幅と観察者の眼幅が合致すると視野内の標識は図９（ｅ）に示すようにＰとＱは重なって観察される。
【００４９】
図９（ａ）は左側接眼レンズの折り曲げ角度を０とし左右接眼レンズの眼幅を最大にした状態を示すが、図９（ｂ）で示した標識Ｐは直線Ｘ−Ｙの上方Ｐａに、標識Ｑは直線Ｘ−Ｙの下方Ｑａにと相対的に逆方向に回転移動する。この状態で、左右接眼レンズの眼幅と観察者の眼幅が合致すると視野内の標識は図９（ｅ）に示すようにＰａとＱａは離れた状態で観察される
【００５０】
図９（ｃ）は左側接眼レンズの折り曲げ角度をθとし左右接眼レンズの眼幅を最小にした状態で、左右の接眼レンズの光軸１５Ｌと１５Ｒを結ぶ直線をＸｃ−Ｙｃとすると、図９（ｂ）で示した標識Ｐは直線Ｘｃ−Ｙｃの下方Ｐｃに、標識Ｑは直線Ｘｃ−Ｙｃの上方Ｑｃにと相対的に逆方向に回転移動する。この状態で、左右接眼レンズの眼幅と観察者の眼幅が合致すると視野内の標識は図９（ｆ）に示すようにＰｃとＱｃは離れた状態で観察される
【００５１】
図８に示すように円弧上の標識の中心に対する開き角Ｗを眼幅調整時の最大折り曲げ角θより大きくすることで、眼幅調整時に左右の接眼レンズの視野周辺の一部に設定した標識が相互に重なる部分を持って観察できるようにすることが出来る。
【００５２】
図１０は接眼レンズの視野枠上に設置された円弧上の標識の中心に対する開き角Ｗを、眼幅調整時の最大折り曲げ角θより大きく設定した場合の眼幅調整完了時の視野内で観察される標識の状態を示している。円弧上の標識１０１Ｒは図９の標識Ｑに対応するもで、円弧上の標識１０１Ｌは図９の標識Ｐに対応する。
【００５３】
図１０（ｂ）は図９（ｂ）に対応する場合で、円弧上の標識１０１と１０２は重なって観察される。図１０（ａ）は図９（ａ）に対応する場合で、円弧上の標識１０１Ｒと１０１Ｌは上下にずれて観察されるが、標識１０１Ｒの下端部と標識１０１Ｌの上端部は重なり合って観察される。同様図１０（ｃ）は図９（ｃ）に対応する場合で、円弧上の標識１０１Ｒと１０１Ｌは上下にずれて観察されるが、標識１０１Ｌの下端部と標識１０１Ｒの上端部は重なり合って観察される。円弧上の標識１０１Ｒと１０１Ｌが異なった色で照明された場合は、この重なり部分の色が変化して観察されるので視野の合致位置を容易に検知できるので、眼幅調整が容易となる。
【００５４】
上記説明の様に、左右の接眼レンズの視野枠周縁部の一部に設けた円弧状の標識でも、円弧の大きさに注意すれば円環状の標識と同等の効果が得られるので、標識の構造も簡単になるので利用価値が大きい。
【００５５】
これまでは、双眼観察装置の左右一対の接眼レンズの視野周縁部、または視野周縁部の一部に固体発光素子を含めて構成された発光部で照明された標識を装着した場合について説明したが、左右一対の接眼レンズの何れか一方のみに固体発光素子で照明された標識を組み込んだ場合でも、眼幅調整の視野合致位置を検出するのが標識を持たない場合に比べて容易になり、構造も簡単で済むので利用価値が高い。
【符号の説明】
【００５６】
１０Ｒ、１０Ｌ  望遠鏡部
ｌｌＲ、１１Ｌ  対物レンズ
１２Ｒ、１２Ｌ  ダハプリズム
１３Ｒ、１３Ｌ  接眼レンズ
１４Ｒ、１４Ｌ  視野枠
１５Ｒ、１５Ｌ  接眼レンズの光軸
１６  中心軸
１７  連結機構部
５１、８１  標識
５２、８２  光導体
５５、８５視野枠本体部
５６  発光ダイオード
【図１】
0005711110.tif 000002
【図２】
0005711110.tif 000003
【図３】
0005711110.tif 000004
【図４】
0005711110.tif 000005
【図５】
0005711110.tif 000006
【図６】
0005711110.tif 000007
【図７】
0005711110.tif 000008
【図８】
0005711110.tif 000009
【図９】
0005711110.tif 000010
【図１０】
0005711110.tif 000011